(57)【特許請求の範囲】
【請求項１】
移動体通信ネットワークにより提供されるサービスへのユーザーのアクセスを管理する方法であって、
前記移動体通信ネットワークとの通信をサポートする能力のある、ユーザーのユーザー機器（２０１）から、前記移動体通信ネットワークにおける認証のリクエスト（３０２）を受信するステップ（３０２）と、
前記移動体通信ネットワークにおいて前記ユーザー機器（２０１）を認証するステップ（３０９）と、
認証する前記ステップ以前に、前記ユーザー機器（２０１）から受信した認証の前記リクエストが、前記移動体通信ネットワークに登録するための前記ユーザー機器（２０１）の最初の試みである（３０７）と判定された（３０７）場合に、ネットワーク加入者プロファイルデータベース（１１５）に、前記ユーザー機器（２０１）に対するデフォルト加入者プロファイルを生成するステップ（３０８）であって、前記デフォルト加入者プロファイルは、前記移動体通信ネットワークにより前記ユーザー機器の前記ユーザーへの課金のために使用される所定の加入者課金パラメータと、所定のアクセスポイント名とを含む、ステップと
を含む方法。
【請求項２】
請求項１に記載の方法であって、認証の前記リクエスト（３０２）は、アクセスネットワーク（２０２）を通じて受信され、前記アクセスネットワークは、３ＧＰＰアクセスネットワーク（１３３）または非３ＧＰＰアクセスネットワーク（１３５、１４０）、具体的には、信頼できる非３ＧＰＰアクセスネットワーク（１３５）もしくは信頼できない非３ＧＰＰアクセスネットワーク（１４０）のいずれかである、方法。
【請求項３】
請求項１または２に記載の方法であって、さらに、認証の前記リクエスト（３０２）が受信された後、認証する前記ステップ（３０９）の前に、前記ユーザー機器（２０１）が前記移動体通信ネットワークの事業者により、前記移動体通信ネットワークにおいて動作することを許可されているか否かを判定するステップ（３０４）であって、判定する前記ステップ（３０４）は、前記ユーザー機器に関連したＩＭＥＩに基づく、ステップを含む方法。
【請求項４】
請求項１、２または３に記載の方法であって、さらに、認証する前記ステップの後に、前記デフォルト加入者プロファイルに含まれている前記所定の加入者課金パラメータおよび前記所定のアクセスポイント名を使用して前記ユーザー機器（２０１）とのデータ接続を確立するステップを含む方法。
【請求項５】
請求項４に記載の方法であって、前記ユーザー機器（２０１）とのデータ接続を確立する前記ステップは、
データ接続リクエストを前記ユーザー機器（２０１）から受信するステップ（３２０）と、
前記ユーザー機器（２０１）の前記ユーザーに関連した加入者プロファイルが、デフォルト加入者プロファイルであるか否かを判定するステップ（３２２）と、肯定の場合に、受信した前記データ接続リクエスト内に含まれるアクセスポイント名を前記所定のアクセスポイント名で上書きするステップ（３２６）と、
前記データ接続リクエストを受け入れるステップ（３２７〜３２９）と、前記ユーザーデバイス（２０１）が前記所定のアクセスポイント名を通じてデータネットワークにアクセスすることを可能とするステップと
を含む、方法。
【請求項６】
請求項５に記載の方法であって、前記ユーザー機器（２０１）の前記ユーザーに関連した前記加入者プロファイルがデフォルト加入者プロファイルであるか否かを判定する前記ステップは、前記ユーザーに関連した課金値が前記所定の加入者課金パラメータに対応するか否かを判定するステップ（３２２）を含む、方法。
【請求項７】
請求項６に記載の方法であって、前記ユーザーに関連した前記課金値が前記所定の加入者課金パラメータに対応しない場合に、受信した前記データ接続リクエスト内に含まれる前記アクセスポイント名が上書きされない、方法。
【請求項８】
請求項５、６または７に記載の方法であって、さらに、前記ユーザー機器（２０１）の前記ユーザーに関連した前記加入者プロファイルが、デフォルト加入者プロファイルであると判定した（３２２）後に、前記ユーザー機器（２０１）の前記ユーザーに前記移動体通信ネットワークにより提供されるサービスへの加入について通知するために前記ユーザー機器に通知を送るステップ（３２４）を含む方法。
【請求項９】
請求項５から８のいずれか一項に記載の方法であって、前記ユーザー機器（２０１）の前記ユーザーに関連した前記加入者プロファイルがデフォルト加入者プロファイルであるか否かを判定する前記ステップは、前記ユーザー機器（２０１）が第四世代アクセスネットワークと異なる３ＧＰＰアクセスネットワークに接続されていると判定された場合（３２１ａ）には実行されない、方法。
【請求項１０】
請求項９に記載の方法であって、さらに、前記ユーザー機器（２０１）が第四世代アクセスネットワークと異なる３ＧＰＰアクセスネットワークに接続されていると判定された（３２１ａ）場合に、前記ユーザー機器が第四世代対応可能な機器であるか否かを判定するステップ（３２１ｂ）と、肯定の場合に、前記ネットワーク加入者プロファイルデータベース（１１５）に前記ユーザー機器のためのエントリを生成するステップ（３２１ｇ）とを含む方法。
【請求項１１】
請求項１０に記載の方法であって、前記ユーザー機器が第四世代対応可能な機器であるか否かを判定するステップ（３２１ｂ）は、前記ユーザー機器が、第四世代アクセスネットワークと異なる３ＧＰＰアクセスネットワークのセルであって、第四世代のアクセスネットワークのセルに隣接するかまたは近傍にあるセルに接続されているか否かを判定するステップを含む、方法。
【請求項１２】
請求項４から１１のいずれか一項に記載の方法であって、さらに、前記ユーザー機器（２０１）とのデータ接続を確立する前記ステップの後に、前記ユーザー機器のＷｅｂブラウジングセッションのリクエストを管理するステップを含み、前記Ｗｅｂブラウジングセッションを管理する前記ステップは、
前記ユーザー機器からＷｅｂブラウジングセッションを開始するためのリクエストを受信するステップと、
前記ユーザー機器からの前記リクエストが前記所定のアクセスポイント名を含むか否かを判定するステップと、肯定の場合に、前記ユーザー機器に、前記ユーザーのために、前記移動体通信ネットワークにより提供される前記サービスを提供するｗｅｂページに向けてのリダイレクト応答を発行するステップ（３３２）と、
前記ユーザーが前記移動体通信ネットワークにより提供される前記サービスを受け入れる場合に、前記ユーザー機器（２０１）に対する前記デフォルト加入者プロファイルを、考慮された前記移動体通信ネットワーク以外の移動体通信ネットワークに既に割り当てられた前記ユーザー機器の前記ユーザーに対する加入者プロファイルに従って更新するステップと、
そうではなく、前記ユーザーが前記移動体通信ネットワークにより提供される前記サービスを受け入れない場合に、前記所定の加入者課金パラメータを、考慮された前記移動体通信ネットワーク以外の移動体通信ネットワークに対して既に割り当てられた加入者課金値で置換するステップと、考慮された前記移動体通信ネットワークへの前記ユーザー機器のアクセスを阻止するように、ＨＳＳ（１１５）内の加入者属性を更新するステップと
を含む、方法。
【請求項１３】
請求項１２に記載の方法であって、さらに、
前記ユーザーが前記移動体通信ネットワークにより提供される前記サービスを受け入れる場合に、前記移動体通信ネットワークにより提供される前記サービスをプロビジョニングするために、ＩＰマルチメディアサブシステムＩＭＳ（２１０）に対して、前記ユーザーを前記ＩＰマルチメディアサブシステムＩＭＳに加入するように、または、既に存在しているユーザーＩＭＳプロファイルを更新するように要求するステップ（３３８ａ、３３９ａ、３４０ａ）
を含む方法。
【請求項１４】
ネットワーク加入者プロファイルデータベース（１１５）を含む移動体通信ネットワークであって、
前記移動体通信ネットワークとの通信をサポートする能力のある、ユーザーのユーザー機器（２０１）から前記移動体通信ネットワークにおける認証のリクエスト（３０２）を受信すると、前記移動体通信ネットワークにおける前記ユーザー機器（２０１）の認証（３０９）の前かつ前記ユーザー機器（２０１）から受信した認証の前記リクエストが前記移動体通信ネットワークへの登録のための当該ユーザー機器（２０１）の最初の試みであると判定される（３０７）場合に、前記ネットワーク加入者プロファイルデータベース（１１５）に、前記ユーザー機器（２０１）に対するデフォルト加入者プロファイルを生成すること（３０８）であって、前記デフォルト加入者プロファイルは、前記ユーザー機器の前記ユーザーに課金するために前記ネットワークにより使用される所定の加入者課金パラメータと、所定のアクセスポイント名とを含む、生成すること
を行うように構成された移動体通信ネットワーク。
【請求項１５】
請求項１４に記載の移動体通信ネットワークであって、認証の前記リクエスト（３０２）が受信されるアクセスネットワーク（６０２）であって、前記アクセスネットワークは少なくとも３ＧＰＰアクセスネットワーク（１３３）と、非３ＧＰＰアクセスネットワーク（１３５、１４０）、具体的には、信頼できる非３ＧＰＰアクセスネットワーク（１３５）または信頼できない非３ＧＰＰアクセスネットワーク（１４０）とのうちの少なくとも１つを含む、移動体通信ネットワーク。
【請求項１６】
請求項１４または１５に記載の移動体通信ネットワークであって、さらに、前記所定の加入者課金パラメータおよび前記所定のアクセスポイント名を使用して前記ユーザー機器（２０１）とのデータ接続を確立するための認可、認証および会計ネットワーク機能（２０４）を含む移動体通信ネットワーク。
【請求項１７】
請求項１６に記載の移動体通信ネットワークであって、前記認可、認証および会計ネットワーク機能（２０４）は、前記ユーザー機器（２０１）の前記ユーザーに関連した加入者プロファイルがデフォルト加入者プロファイルであるか否かを判定し（３２２）、肯定の場合に、受信したデータ接続リクエストに含まれるアクセスポイント名を前記所定のアクセスポイント名で上書きする（３２６）ように構成された移動体通信ネットワーク。
【請求項１８】
請求項１７に記載の移動体通信ネットワークであって、前記ユーザー機器（２０１）の前記ユーザーに関連した前記加入者プロファイルがデフォルト加入者プロファイルであるか否かを判定するために、前記認可、認証および会計ネットワーク機能（２０４）は、前記ユーザーに関連した課金値が前記所定の加入者課金パラメータに対応しているか否かを判定する（３２２）ように構成された、移動体通信ネットワーク。
【請求項１９】
請求項１６、１７または１８に記載の移動体通信ネットワークであって、ネットワーク機能（２０４）、具体的には、前記ユーザー機器（２０１）が、前記移動体通信ネットワークの事業者により、前記移動体通信ネットワークにおいて認証を行うことを許可されているか否かを判定する（３０４）ように構成されたＤｉａｍｅｔｅｒプロキシを含む移動体通信ネットワーク。
【発明の詳細な説明】
【技術分野】
【０００１】
本発明は、一般的には通信分野に関し、詳細には、移動体（例えば、セルラー）無線通信ネットワークに関する。
【背景技術】
【０００２】
３ＧＰＰ（「第三世代パートナーシッププロジェクト（Ｔｈｉｒｄ−Ｇｅｎｅｒａｔｉｏｎ  Ｐａｒｔｎｅｒｓｈｉｐ  Ｐｒｏｊｅｃｔ）」の頭字語）標準化グループ（ウェブサイト：ｗｗｗ．３ｇｐｐ．ｏｒｇ）は、（ＧＳＭ−汎欧州ディジタル移動電話方式およびＵＭＴＳ−ユニバーサル移動通信システムのような）２Ｇ／３Ｇ（第二世代および第三世代）移動体通信システムの進化形として４Ｇ（第四世代）ＵＴＲＡＮ（「ユニバーサル地上無線アクセスネットワーク」）ＬＴＥ（「ロングタームエボリューション」）およびＳＡＥ（「システムアーキテクチャエボリューション」）ネットワーク（以下、短縮化してＬＴＥ／ＳＡＥネットワークと参照される）を定義してきた。
【０００３】
ＬＴＥ／ＳＡＥネットワークは、パケット交換ドメイン内で高速データサービスを可能とする完全ＩＰ（「インターネットプロトコル」）ネットワークである。
３ＧＰＰはまた、２Ｇ／３Ｇ回線交換ＰＬＭＮ（「パブリックランドモバイルネットワーク」ネットワーク向けのフォールバック機構（技術仕様書３ＧＰＰ  ＴＳ２３．２７２内の実施例に記述された、「回線交換フォールバック機構」またはＣＳＦＢ）を標準化して、最初のＬＴＥネットワーク展開において音声サービスを保証している。
【０００４】
ＶｏＬＴＥ（ＧＳＭＡ−「ＧＳＭ協会」のＰＲＤ−Ｐｅｒｍａｎｅｎｔ  Ｒｅｆｅｒｅｎｃｅ  Ｄｏｃｕｍｅｎｔ」−ＩＲ．９２内の実施例に記載されている（「ボイスオーバーＬＴＥ」）は、ＬＴＥネットワーク上の音声サービスに対する、かつサービス品質（ＱｏＳ）を有するターゲットソリューションである。ＶｏＬＴＥは、ＬＴＥ／ＳＡＥネットワークアーキテクチャおよびＩＭＳ（「ＩＰマルチメディアサブシステム」）システムの組み合わせを必要とし、後者は３ＧＰＰ技術仕様書ＴＳ２３．２２８内の実施例に記載されている。
【０００５】
２Ｇ／３Ｇネットワークの加入者のプロファイルがＨＬＲ（「ホームロケーションレジスター」）と呼ばれるネットワークデータベースにロードされると、ＬＴＥ／ＳＡＥおよびＩＭＳネットワークは、加入関連情報（加入者プロファイル）を含むネットワークデータベース（例えば、ＨＳＳ「ホーム加入者サーバー」）内のユーザーデータのローディングを要求し、ユーザーの認証および認可を遂行し、かつ加入者の所在に関する情報を提供することができる。
【０００６】
ＷＯ２０１１／００３４５４で議論されたように、ＬＴＥ／ＳＡＥおよびＩＭＳネットワークサービスへのアクセスのためのユーザーに対する前提条件は、ユーザーがそれまでにネットワーク内に「プロビジョニングされて」いること、すなわち加入者および関連したサービスデータがＨＳＳなどの中央データベースに登録されていることである。ＴＬＣ（「通信」）事業者がＬＴＥ／ＳＡＥおよびＩＭＳネットワーク上でサービスを開始したいとしても、ＴＬＣ事業者は、どの加入者が当該サービスを使用しようとしているかを正確に知ることはない。ＴＬＣ事業者は、２つの選択肢：ＬＴＥ／ＳＡＥおよびＩＭＳネットワーク内の総ての加入者基盤の事前プロビジョニング、または加入者がサービスに加入する時点でプロビジョニングされ得るある種の自動プロビジョニング方法の実装のいずれかを有する。
【０００７】
ＷＯ２０１１／００３４５４は、効率的ではないライセンス管理問題に対するソリューションを説明している。特に、ＩＭＳネットワークの少なくともＨＳＳ内の加入者データのプロビジョニングを始動する方法が開示されている。本方法は、ＩＭＳネットワークにアクセスするためにユーザー端末を使用する所与の加入者に関しての認証リクエストまたはセッション開始プロトコル（ＳＩＰ）メッセージを受信するステップを含む。加入者データが加入者に対してＨＳＳ機能内に現在プロビジョニングされていないと決定された、またはそのような決定を受信している場合、以下のステップ、１）登録の試みが拒否されたことを示す最初の通知がユーザー端末に送信されるようにするステップ、２）第２の通知を加入者プロビジョニングシステムに送信して登録の試みをプロビジョニングシステムへ通知するステップ、が遂行される。
【発明の概要】
【発明が解決しようとする課題】
【０００８】
出願人は、ＨＳＳのようなネットワークデータベースの機能を実装するネットワーク装置が通常、ハードウェアおよびネットワークデータベース内にロードされる各ユーザーに関連した商用ライセンスに分割される総コストで装置製造業者により販売されることから、ＬＴＥ／ＳＡＥおよびＩＭＳネットワークのＨＳＳのような、移動体通信ネットワークのネットワークデータベース内にロードされる各ユーザーがネットワークのＴＬＣ事業者の所有者に対する関連コストを伴う商用ライセンスの消費を引き起こすことに気が付いた。
【０００９】
ネットワークデータベース内にロードされる各ユーザーに関連する商用ライセンスのコストの効率的管理は、一般的に、３ＧＰＰ標準化グループのような標準化委員会の範囲の外にあり、従って、３ＧＰＰ技術仕様のような標準化グループにより発行される仕様書は、このような関心事について何等の処方箋も勧告も提供することはない。
【００１０】
ＷＯ２０１１／００３４５４で説明されたソリューションは、ユーザープロファイル特性を考慮しておらず、具体的には、提案されたソリューションは、既に２Ｇ／３Ｇネットワークデータベース内に存在しており、これらのユーザーにより新しい４Ｇネットワークアクセスと提携されて、ユーザー装置（ユーザー端末）の特性を考慮に入れるべき、ユーザーの特定の構成の管理を想定していない。特に、出願人は、ＷＯ２０１１／００３４５４に説明されたソリューションが、ユーザープロファイルの特性化が例えば、
１．使用中のユーザー装置（例えば、スマートフォン、タブレットＰＣ、モデム）、
２．２Ｇ／３Ｇネットワーク内で加入した商用プロファイル、
３．ネットワークデータベース（２Ｇ／３Ｇおよび４Ｇ、例えばＬＴＥ）内でユーザーにより既に加入されたサービス提携、
を考慮されることを考慮していないことに気づいた。
【００１１】
出願人は、ＨＳＳのようなネットワークデータベースの機能を実装する移動体通信ネットワークのためのネットワーク装置の製造業者が通常ハードウェアと共に販売する商用ライセンスの効率的管理を可能とするソリューションを考案するという課題に取り組んできた。具体的には、出願人は、ＨＳＳのようなネットワークデータベース内にロードされる各ユーザーに関連したライセンスおよび関連したコストの効率的使用を可能とするソリューションを考案するという課題に取り組んできた。
【課題を解決するための手段】
【００１２】
本発明に従って、ＴＬＣ事業者に対するコストを削減するように商用ライセンスを効率的に管理するために、ＴＬＣ事業者は、ユーザーが、
１．移動体通信ネットワークへの最初の登録、例えば、４Ｇ移動体通信ネットワーク、例えば、ＬＴＥまたはＬＴＥ−Ａ（拡張されたＬＴＥ）ネットワーク、またはそれらの進化形への最初の登録を試みようとした、
２．移動体通信ネットワークに接続する能力のある、例えばＬＴＥ／ＳＡＥおよびＩＭＳ対応可能なユーザー装置を有する、
３．移動体通信ネットワークのカバーエリア内、例えば、ＬＴＥカバーエリア内、または４Ｇセル、例えばＬＴＥセルの近傍に位置する２Ｇ／３Ｇネットワークの隣接のセル内に存在する、
場合にのみ、移動体通信ネットワークデータベース内に、例えば、ＬＴＥ／ＳＡＥおよびＩＭＳネットワークデータベース内に新規ユーザーのローディングを進める。
【００１３】
本手法は、ネットワーク（例えば、ＬＴＥ／ＳＡＥおよびＩＭＳネットワーク）データベースライセンスおよびＴＬＣ事業者に対する関連コストの効率的使用を保証する。
特に、これらの実施形態において、本発明は、
・既にレガシー２Ｇ／３Ｇネットワークサービスの加入者である新規加入者（すなわち、加入者プロファイル、すなわちＳＩＭ／ＵＳＩＭが２Ｇ／３ＧネットワークのＨＬＲ内にのみ存在するユーザー）により、４Ｇネットワーク、例えば、ＬＴＥ／ＳＡＥネットワークにアクセスする試みに対応する事象を捕捉するステップと、
・ＬＴＥ／ＳＡＥおよびＩＭＳネットワークの全てのネットワークデータベース（例えば、ＨＳＳ、ＭＭＴｅｌ−マルチメディアテレフォニー・サーバー、ＩＭＳプレゼンスサーバーなど）内のＶｏＬＴＥ対応可能ユーザー装置（すなわち、ＬＴＥ／ＳＡＥおよびＩＭＳに対応可能なユーザー装置）を有する新規加入者に対して新しいデフォルトプロファイルを生成して、新規加入者がＬＴＥ／ＳＡＥおよびＩＭＳネットワークにより提供される新しいサービスの実現を可能とするステップと、
・加入者の商用プロファイルに基づいて新しい加入するプロファイルでデフォルトプロファイルを更新するステップを提供する。
【００１４】
これらの態様によれば、本発明は、
−ユーザー機器が移動体通信ネットワークとの通信をサポートする能力があるユーザーのユーザー機器から、移動体通信ネットワーク内で認証のリクエストを受信するステップと、
−移動体通信ネットワーク内のユーザー機器を認証するステップと、
−前記認証以前であって、ユーザー機器から受信した認証リクエストが移動体通信ネットワークへの登録のための当該ユーザー機器の最初の試みであると判定された場合に、ネットワーク加入者プロファイルデータベース内に、当該ユーザー機器に対するデフォルト加入者プロファイルを生成するステップであって、前記デフォルト加入者プロファイルが、前記ユーザー機器のユーザーに課金するためにネットワークにより使用される所定の加入者課金パラメータ、および所定のアクセスポイント名（ＡＰＮ）を含むステップと、
を含む、移動体通信ネットワークにより提供されるサービスへのユーザーのアクセスを管理する方法を提供する。
【００１５】
移動体通信ネットワークは第四世代移動体通信ネットワークであり得て、「第四世代移動体通信ネットワーク」により、ＬＴＥ／ＬＴＥ−Ａ標準およびそれらの進化形に準拠した通信ネットワーク、またはＷｉＭＡＸ標準およびそれらの進化形に準拠した通信ネットワークを意味する。
【００１６】
本発明の目的にとって、アクセスポイント名は、少なくとも、移動体通信ネットワークのユーザーが通信を希望するパケットデータネットワーク（ＰＤＮ）の識別子を意味する。ＰＤＮを識別することに加えて、ＡＰＮはまた、ＰＤＮにより提供されるサービスの種類（例えば、ワイヤレスアプリケーションプロトコル−ＷＡＰサーバー、マルチメディアメッセージングサービス−ＭＭＳへの接続）を定義するために使用され得る。
【００１７】
前記認証のリクエストは、アクセスネットワークとを通じて受信され、前記アクセスネットワークは、例えば、３ＧＰＰアクセスネットワークまたは非３ＧＰＰアクセスネットワーク、具体的には、信頼できる非３ＧＰＰアクセスネットワークまたは信頼できない非３ＧＰＰアクセスネットワークのいずれかであり得る。
【００１８】
本方法はさらに、前記認証のリクエストが受信された後、前記認証ステップ以前に、ユーザー機器が、移動体通信ネットワークの事業者により、本移動体通信ネットワーク内で動作することを許可されているか否かを判定するステップであって、前記判定ステップがユーザー機器に関連付けられたＩＭＥＩ識別子に基づくステップを含むことができる。
【００１９】
本方法はさらに、前記認証ステップの後に、デフォルト加入者プロファイル内に含まれる所定の加入者課金パラメータおよび所定のアクセスポイント名を使用して、ユーザー機器とのデータ接続を確立するステップを含むことができる。
【００２０】
ユーザー機器とのデータ接続を確立する前記ステップは、
−ユーザー機器からのデータ接続リクエストを受信するステップと、
−ユーザー機器のユーザーに関連した加入者プロファイルがデフォルト加入者プロファイルであるか否かを判定し、肯定される場合には、受信したデータ接続リクエスト内に含まれるアクセスポイント名を所定のアクセスポイント名で上書きするステップと、
−データ接続リクエストを受け入れ、ユーザー装置がデフォルトアクセスポイント名を通じてデータネットワークにアクセスすることを可能とするステップと、
を含むことができる。
【００２１】
ユーザー機器のユーザーに関連した加入者プロファイルがデフォルト加入者プロファイルであるか否かを判定する前記ステップは、前記ユーザーに関連した課金パラメータが所定の課金パラメータに対応するか否かを判定するステップを含むことができる。
【００２２】
前記ユーザーに関連した課金パラメータが所定の課金パラメータに対応しない場合、受信したデータ接続リクエストに含まれるアクセスポイント名は、上書きされ得ない。
本方法はさらに、ユーザー機器のユーザーに関連した加入者プロファイルがデフォルト加入者プロファイルであることを判定した後、ユーザー機器のユーザーに移動体通信ネットワークにより提供されるサービスへの加入について知らせるための通知をユーザー機器に送信するステップを含むことができる。
【００２３】
ユーザー機器のユーザーに関連した加入者プロファイルがデフォルト加入者プロファイルであるか否かを判定する前記ステップは、好ましくは、ユーザー機器が第四世代アクセスネットワークと異なる３ＧＰＰアクセスネットワークに接続されていると判定した場合には遂行されない。
【００２４】
本方法はさらに、ユーザー機器が第四世代アクセスネットワークと異なる３ＧＰＰアクセスネットワークに接続されていると判定した場合に、ユーザー機器が第四世代対応可能な機器であるか否かを判定し、肯定される場合、ネットワーク加入者プロファイルデータベース内にユーザー機器に対するエントリを生成するステップを含むことができる。
【００２５】
ユーザー機器が第四世代対応可能な機器であるか否かを判定する前記ステップは、ユーザー機器が、第四世代アクセスネットワークと異なる３ＧＰＰアクセスネットワークのセルに接続され、第四世代アクセスネットワークのセルに隣接してまたは近傍にあるか否かを判定するステップを含むことができる。
【００２６】
本方法はさらに、ユーザー機器とのデータ接続を確立する前記ステップの後に、ユーザー機器のＷｅｂブラウジングセッションリクエストを管理するステップを含み、前記Ｗｅｂブラウジングセッションを管理するステップが、
−ユーザー機器からＷｅｂブラウジングセッション開始のためのリクエストを受信するステップと、
−ユーザー機器からのリクエストが所定のアクセスポイント名を含んでいるか否かを判定し、肯定される場合、ユーザー機器に対して移動体通信ネットワークにより提供されるサービスを受け入れるようにユーザーに対してリクエストを発行するステップと、
ユーザーが移動体通信ネットワークにより提供されるサービスを受け入れる場合に、ユーザー機器に対するデフォルト加入者プロファイルを、考慮された（例えば、第四世代）移動体通信ネットワーク以外の移動体通信ネットワークに対して既に割り当てられているユーザー機器のユーザーに対する加入者プロファイルに従って更新するステップと、
−そうではなく、ユーザーが考慮された（例えば、第四世代）移動体通信ネットワークにより提供されるサービスを受け入れない場合に、所定の加入者課金パラメータを考慮された（例えば、第四世代）移動体通信ネットワーク以外の移動体通信ネットワークに対して既に割り当てられている加入者課金パラメータで置換するステップと、
を含むステップを含むことができる。
【００２７】
本方法はさらに、ユーザーが移動体通信ネットワーク、例えば第四世代ネットワークにより提供されるサービスを受け入れる場合、ＩＰマルチメディアサブシステムＩＭＳ内のユーザーに加入するように、または第四世代ネットワークにより提供されるサービスをプロビジョニングするために既に存在しているユーザーＩＭＳプロファイルを更新するようにＩＰマルチメディアサブシステムＩＭＳに要求するステップを含むことができる。
【００２８】
これらの別の態様によれば、本発明は、
−移動体通信ネットワークとの通信をサポートする能力のあるユーザーのユーザー機器からの、移動体通信ネットワーク内の認証の要求を受領すると、移動体通信ネットワーク内のユーザー機器の認証ステップ以前に、ユーザー機器から受信した認証リクエストが移動体通信ネットワークへの登録のためのユーザー機器の最初の試みであると判定される場合に、ネットワーク加入者プロファイルデータベース内に、当該ユーザー機器に対するデフォルト加入者プロファイルを生成して、前記デフォルト加入者プロファイルが前記ユーザー機器のユーザーに課金するためにネットワークにより使用される所定の加入者課金パラメータおよび所定のアクセスポイント名を含む、ように構成されるネットワーク加入者プロファイルデータベースを含む、移動体通信ネットワークを提供する。
【００２９】
移動体通信ネットワークは、前記認証のリクエストが受信されるアクセスネットワークを含むことができ、前記アクセスネットワークは、３ＧＰＰアクセスネットワークおよび非３ＧＰＰアクセスネットワーク、具体的には、信頼できる非３ＧＰＰアクセスネットワークまたは信頼できない非３ＧＰＰアクセスネットワークの少なくとも１つを含むことができる。
【００３０】
本ネットワークは、所定の加入者課金パラメータおよび所定のアクセスポイント名を使用してユーザー機器とのデータ接続を確立するための認可、認証および会計ネットワーク機能を含むことができる。
【００３１】
前記認可、認証および会計ネットワーク機能は、ユーザー機器のユーザーに関連した加入者プロファイルがデフォルト加入者プロファイルであるか否かを判定し、肯定される場合に、受信したデータ接続リクエスト内に含まれるアクセスポイント名を所定の、デフォルトアクセスポイント名で上書きするように構成される。
【００３２】
ユーザー機器のユーザーに関連した加入者プロファイルがデフォルト加入者プロファイルであるか否かを判定する前記ステップに対して、認可、認証および会計ネットワーク機能は、前記ユーザーに関連した課金パラメータが所定の課金パラメータに対応しているか否かを判定するように構成され得る。
【００３３】
本移動体通信ネットワークは、移動体通信ネットワークにおける認証を遂行するために、ユーザー機器が許可されているか否かを、移動体通信ネットワークの事業者により判定するように構成されたネットワーク機能、具体的には、Ｄｉａｍｅｔｅｒプロキシを含むことができる。
【００３４】
本発明のこれらおよびその他の特徴および利点は、以下の詳細な実施例の説明、それらの非限定的実施形態、添付の図面を参照して行われる説明により明らかにされよう。
【図面の簡単な説明】
【００３５】
【図１】本発明に関連したＬＴＥ／ＳＡＥネットワークのいくつかの機能エンティティを概略的に示す図である。
【図２】図１のＬＴＥ／ＳＡＥネットワークの関連した機能エンティティ間の関係を示す図である。
【図３】本発明の実施形態に従った、ＬＴＥ／ＳＡＥネットワークにおける最初の登録を試みるユーザー装置の認証手続きを遂行するための図２の機能的エンティティのアクティビティおよびそれらの間のメッセージの流れを概略的に示す図である。
【図４】本発明の実施形態に従った、ユーザー装置に関するデータ接続を確立するための図２の機能的エンティティのアクティビティおよびそれらの間のメッセージの流れを概略的に示す図である。
【図５】本発明の実施形態に従った、ユーザー装置から到着するＷｅｂブラウジングセッションリクエストを管理するための図２の機能的エンティティのアクティビティおよびそれらの間のメッセージの流れを概略的に示す図である。
【発明を実施するための形態】
【００３６】
図１は、３ＧＰＰ技術仕様書ＴＳ２３．４０２に定義されている、ＬＴＥ／ＳＡＥネットワークの関連した機能的エンティティを要約したものである。
ＬＴＥ／ＳＡＥネットワークは、コアネットワークサイドにおいて、ＥＰＣ（「進化型パケットコア」）ネットワーク部、無線アクセスネットワークサイドにおいて、３ＧＰＰ  Ｅ−ＵＴＲＡＮ（「進化型ユニバーサル移動体通信システム地上無線アクセスネットワーク」）アクセスネットワーク部および非３ＧＰＰアクセスネットワーク部を含む。
【００３７】
３ＧＰＰ技術仕様書ＴＳ２３．００２は、３ＧＰＰシステムのアーキテクチャの概要を提示する。特に、３ＧＰＰ技術仕様書ＴＳ２３．００２は、ＥＰＣネットワーク部内で使用される全てのネットワーク要素を説明している。ＥＰＣネットワーク部は、以下のネットワーク要素：サービングゲートウェイ（サービングＧＷ）１０５、ＰＤＮ（「パケットデータネットワーク」）ゲートウェイ（ＰＤＮ  ＧＷ）１１０、ＨＳＳ（「ホーム加入者サーバー」）１１５、ｅＰＤＧ（「進化型パケットデータゲートウェイ」）１２０，ＰＣＲＦ（「ポリシーおよび課金ルール機能」）１２５、を含む。
【００３８】
ＥＰＣは、外部のＩＰパケットデータネットワーク（ＰＤＮ）１３０に接続され、ＩＭＳ（「ＩＰマルチメディアコアネットワークシステム」）基盤、ＰＳＳ（「パケット交換ストリーミング」）サービス基盤等を含むことができる。
【００３９】
サービングＧＷ１０５およびＰＤＮ  ＧＷ１１０はユーザープレーンを取り扱う。これらは、ユーザー機器（ＵＥ）と外部ネットワーク間のＩＰデータトラヒックを転送する。
サービングＧＷ１０５は、３ＧＰＰ無線アクセスネットワーク側とＥＰＣ間の相互接続点である。サービングＧＷ１０５は、着信および発信ＩＰパケットを経路付けすることによりＵＥにサービスを行う。
【００４０】
ＰＤＮ  ＧＷ１１０は、ＥＰＣと外部ＩＰ  ＰＤＮ１３０間の相互接続点である。ＰＤＮ  ＧＷ１１０は、外部ＰＤＮ１３０へおよび外部ＰＤＮ１３０からのパケットを経路付けする。ＰＤＮ  ＧＷ１１０はまた、ＩＰアドレス／ＩＰプレフィックス割当またはポリシー制御および課金等の様々な機能を遂行する。
【００４１】
ＰＣＲＦ１２５は、実時間でマルチメディアネットワーク内のポリシールールを決定するために指定されたコアネットワークノードである。
３ＧＰＰ技術仕様書ＴＳ２３．４０１は、３ＧＰＰ  Ｅ−ＵＴＲＡＮ（すなわち、３ＧＰＰ）アクセスネットワーク部１３３のアーキテクチャを定義し、３ＧＰＰ  ＴＳ２３．４０２は、非３ＧＰＰアクセス（すなわち、非３ＧＰＰアクセス技術、すなわち、ＧＳＭ  ＲＡＮ、ＵＴＲＡＮおよびＥ−ＵＴＲＡＮ等の３ＧＰＰ  ＲＡＮとは異なるアクセス技術を通じたＥＰＣネットワーク部へのアクセス）のためのアーキテクチャ拡張を定義する。
【００４２】
非３ＧＰＰアクセスは、２つのカテゴリ：「信頼できる非３ＧＰＰ  ＩＰアクセス」１３５および「信頼できない非３ＧＰＰ  ＩＰアクセス」１４０に分けることができる。信頼できる非３ＧＰＰアクセス１３５は、ＥＰＣと（ＰＤＮ  ＧＷ１１０およびＰＣＲＦ１２５を介して）直接対話することができる。信頼できない非３ＧＰＰアクセス１４０は、ＥＰＣとｅＰＤＧ１２０を介して連携動作する。ｅＰＤＧ１２０は、信頼できない非３ＧＰＰアクセスを介してＵＥ１５０との接続を確立するために、ＩＰｓｅｃトンネリング等のセキュリティ機構を提供する。
【００４３】
（３ＧＰＰアクセス１３３のための）ＨＳＳ１１５、並びに（信頼できる非３ＧＰＰアクセス１３５および信頼できない非３ＧＰＰアクセス１４０、それぞれのための）ＰＤＮ  ＧＷ１１０およびｅＰＤＧ１２０は、ＡＡＡ（「認可、認証および会計」）機能を遂行する３ＧＰＰ  ＡＡＡサーバー１４５の機能を利用する。
【００４４】
様々な機能的エンティティは、当業者には既知であり詳細には説明されない（インターフェイスＳ２ａ、Ｓ２ｂ、Ｓ５、Ｓ６ａ、Ｓ６ｂ、Ｇｘ、Ｇｘａ、Ｇｘｂ、Ｇｘｃ、ＳＧｉ、Ｒｘ、ＳＷａ、ＳＷｍ、ＳＷｎ、ＳＷｕ、ＳＴａ、ＳＷｘなどの）標準インターフェイスを介して相互に通信する。
【００４５】
図２は、図１のＬＴＥ／ＳＡＥネットワークの関連した機能的エンティティ間の関係を示す。
ＵＥ２０１は、ユーザー装置である。ブロック２０２は、３ＧＰＰ（ＬＴＥまたは２Ｇ−３Ｇ）アクセス１３３または非３ＧＰＰ  ＩＰアクセス（信頼できる非３ＧＰＰ  ＩＰアクセス１３５および信頼できない非３ＧＰＰ  ＩＰアクセス１４０）を要約したもので、ＥＰＣコアネットワーク部とＵＥ２０１間のデータセッションの確立および管理に関わるＬＴＥ／ＳＡＥネットワークアクセスの全ての機能要素を表す。このような機能要素の例は、ＧＰＰアクセス１３３に関わるｅＮｏｄｅＢ（「進化型ＮｏｄｅＢ」）およびＭＭＥ（「モビリティマネジメントエンティティ」）、並びに信頼できない非３ＧＰＰ  ＩＰアクセス１４０および信頼できる非３ＧＰＰ  ＩＰアクセス１３５それぞれに関わるアクセスゲートウェイ（ＡＧ）およびＷＬＡＮアクセスネットワークゲートウェイ（信頼できる無線アクセスゲートウェイまたはＴＷＡＧ）である。
【００４６】
ＳＡＥゲートウェイ（Ｓ−ＰＧＷ）２０７は、２つの異なるゲートウェイ：ユーザーデータパケットを経路付けし、転送し、かつユーザーモビリティを管理するサービングＧＷ１０５、およびその他のＩＰパケットネットワーク１３０との相互接続を管理するＰＤＮ  ＧＷ１１０、を含む。この要素は、３ＧＰＰ技術仕様書ＴＳ２３．００２に記載されたＥＰＣの一部である。
【００４７】
ＨＳＳ１１５は、ユーザーの加入関連情報（加入者プロファイルとしても知られる）、並びに認証および認可手続きのためのユーザーデータを含む。ＨＳＳ１１５はまた、ユーザーの所在についての情報を提供することができる。また、このネットワーク要素は、３ＧＰＰ技術仕様書ＴＳ２３．００２に記載されたＥＰＣの一部である。
【００４８】
Ｄｉａｍｅｔｅｒプロキシ（ＤＰ）２０３は、３ＧＰＰ技術仕様書ＴＳ２９．２１３、ＴＳ２９．２７２およびＴＳ２３．４０２で明示されたＬＴＥ／ＳＡＥネットワーク内の任意選択の要素である。ＤＰ２０３は、事業者のポリシーに従って（認証、認可および会計プロトコルである）Ｄｉａｍｅｔｅｒプロトコルシグナリングを制御することが可能な要素である。例えば、ＤＰ２０３は、ネットワーク要素相互接続の複雑性を削減し、トポロジ隠蔽を実装し、転送レベルを最適化し、Ｄｉａｍｅｔｅｒプロトコルメッセージの内容を修正するために使用される。
【００４９】
（３ＧＰＰ）ＡＡＡサーバー２０４は、通常、ＬＴＥ／ＳＡＥネットワーク等のＩＰデータネットワーク内のユーザーの認証、認可および会計の機能を提供するネットワークエンティティである。
ＡＡＡサーバー２０４の技術的詳細は、ここではこれ以上説明されず、当業者には既知であり、ＲＦＣ２８６５、ＲＦＣ２８６６、３ＧＰＰ  ＴＳ２９．０６１等の特定のＲＦＣ（「コメント要求」）に記載されている。
【００５０】
ブロック２１０は、３ＧＰＰ技術仕様書ＴＳ２３．２２８内の実施例に記載されている、ＩＭＳシステム（「ＩＰマルチメディアサブシステム」）ネットワークを要約したものである。ＩＭＳシステムは、ＳＩＰ（セッション開始プロトコル）プロトコルを使用して固定および移動体通信サービスの融合を可能とする標準化されたＩＰベースのアーキテクチャである。ＩＭＳシステム２１０は、詳細には、以下のネットワーク要素を含む。
【００５１】
１．ＩＭＳ  ＨＳＳ（「ホーム加入者サーバー」）、ＩＭＳユーザー加入関連情報（ＩＭＳ加入者プロファイルとしても知られる）を含むデータベース、
２．ＳＬＦ（「加入者ロケータ機能」）、複数のＨＳＳがネットワーク内で使用されている場合にＩＭＳユーザーのアドレスを含むデータベース、
３．ＤＮＳ／ＥＮＵＭ（「ドメインネームサーバー／電話番号マッピング」）、ＩＭＳシステム内で経路付け可能なＳＩＰ  ＵＲＩへのＥＮＵＭ電話番号の解決を含むデータベース、
４．Ｐ／Ｉ／Ｓ−ＣＳＣＦ（「プロキシ／インテロゲーティング／サービング−呼セッション制御機能」）、ＩＭＳシステムのＳＩＰシグナリングパケットを処理するために使用されるＳＩＰサーバー
５．ＢＧＣＦ（「ブレークアウトゲートウェイ制御機能」）、ＣＳネットワークへリクエストを経路付けすることを可能とするＳＩＰプロキシ。これはＣＳネットワークに到達可能とできるユーザーのデータベースを有する。
【００５２】
６．ＭＭＴＥＬ  ＡＳ（「マルチメディアテレフォニーアプリケーションサーバー」）、自動転送、通話中着信、通話保留等といったユーザー補助サービス（ＳＳ）を管理するためのＳＩＰサーバー。これはユーザーが加入したＳＳを含むＩＭＳユーザーのデータベースを有する。
【００５３】
７．メディエーションプラットホーム、ＩＭＳプロビジョニングリクエストを受信し、ＩＭＳシステムの全てのデータベース（ＨＳＳ、ＳＬＦ、ＢＧＣＦ、ＤＮＳ／ＥＮＵＭ、ＭＭＴＥＬ  ＡＳ等）にユーザーエントリを挿入する要素。
【００５４】
引き続き図２を参照すると、３ＧＰＰ技術仕様書に明示されていない、一般的にＴＬＣ事業者基盤内に含まれる３つの補助的機能要素が示されている。
１．ＴＬＣ事業者が所有するネットワークのユーザーのプロビジョニングおよび課金（「課金」は、ユーザーへの請求に必要な、ネットワークトラヒックの文書化の操作を意図している）を管理するために通常使用する全てのプラットホームおよびアプリケーションを理想的に表現する、ビジネスロジックシステム（ＢＬＳ）２０６。
【００５５】
２．ＴＬＣ事業者が顧客にＷｅｂインターフェイスを提供し、購入し、加入を管理するために、かつ／または広告目的のために通常使用する全てのプラットホームおよびアプリケーションを理想的に表現した事業者Ｗｅｂポータル２０８。
【００５６】
３．メッセージングサーバー（ＭＳＧサーバー）２０９、ショートメッセージサービス（ＳＭＳ）および／またはマルチメディアメッセージサービス（ＭＭＳ）を介してユーザーに通知を送信するために使用される、本発明のための任意選択の要素。
【００５７】
ＬＴＥサービスにアクセスするためのユーザーは、
１）ＬＴＥネットワークデータベース（例えばＨＳＳ１１５）内に加入者プロファイルを有する、すなわちユーザーはＬＴＥネットワーク内にプロビジョニングされるべきであり、
２）ＬＴＥ対応可能装置（以下「ＬＴＥ装置」として示す）を有し、
３）ＬＴＥカバーエリア内または隣接して所在している、
必要がある。
【００５８】
本発明は、３ＧＰＰアクセス１３３あるいは非３ＧＰＰ  ＩＰアクセス１３５または１４０を介したＬＴＥ／ＳＡＥネットワーク等の移動体通信ネットワークにおける、ＬＴＥネットワークにプロビジョニングされていないユーザーにより所有されたＬＴＥ対応可能な装置（ＵＥ２０１）の最初の登録の試みを管理して、演繹的にプロビジョニングアクティビティを回避するための方法に関する。
【００５９】
「プロビジョニングされていないユーザー」に対する以下の説明において、「プロビジョニングされていないユーザー」とは、プロファイルがＬＴＥネットワークデータベースにロードされていないユーザーを意図し、「演繹的なプロビジョニングアクティビティ」とは、ユーザーがＬＴＥサービスを使用しようとするか否かに拘らずＬＴＥネットワークデータベース上にユーザー構成を提供するプロセスを意図している。
【００６０】
本発明の実施形態によれば、上記のネットワーク要素の以下の機能：
ａ）（以下に説明するような）Ｄｉａｍｅｔｅｒプロキシ２０３機能、および
ｂ）ＬＴＥネットワークデータベース１１５内にデフォルトＬＴＥ加入者プロファイルを生成することを可能として、ＬＴＥ／ＳＡＥネットワーク上のユーザー登録を保証するＨＳＳ１１５の自動プロビジョニング機能、
が用いられる。
【００６１】
自動プロビジョニング機能は、以下の条件：
−ユーザーがＬＴＥ／ＳＡＥおよびＩＭＳ対応可能であるユーザー装置（ＵＥ２０１）を有しており、
−ユーザーＵＥがＬＴＥカバーエリア内または２Ｇ／３Ｇネットワークの隣接セル内に所在している、
という条件のもとで最初の登録を試みる場合に始動される。
【００６２】
図３は、本発明の実施形態に従って、ＬＴＥ／ＳＡＥネットワーク上で最初の登録を試みるＵＥ２０１の認証手続きを遂行するための図２の異なる機能要素間のメッセージの流れを示す。
【００６３】
具体的には、ステップ３０２において一般的なユーザーのＵＥ２０１は、認証リクエスト（ＡＲ）メッセージを３ＧＰＰアクセスまたは非３ＧＰＰ  ＩＰアクセス２０２に送信し、ＡＲメッセージは、例えば、ＩＭＥＩ（「国際移動体装置識別番号」）、当該ＵＥ２０１を一意に識別する数値コードを含む、特定の情報（すなわち、ＡＶＰ、「属性値ペア」）を含む。ＡＲメッセージは、Ｓ６ａインターフェイスを介して送信される認証情報リクエスト−ＡＩＲまたはＳｗｘインターフェイスを介して送信されるマルチメディア認証リクエスト−ＭＡＲであり得て、３ＧＰＰアクセス（図１の１３３）シナリオにおいては、ＡＲメッセージは、３ＧＰＰ技術仕様書ＴＳ２９．２７２に記載された認証情報リクエスト（ＡＩＲ）に対応し、非３ＧＰＰアクセス（図１の１３５または１４０）シナリオにおいては、ＡＲメッセージは、３ＧＰＰ技術仕様書ＴＳ２９．２７３に記載されたマルチメディア認証リクエスト（ＭＡＲ）に対応する。
【００６４】
ＡＲメッセージは、３ＧＰＰアクセスまたは非３ＧＰＰ  ＩＰアクセス２０２において受信される。ステップ３０３において、Ｄｉａｍｅｔｅｒプロキシ２０３は、３ＧＰＰアクセスまたは非３ＧＰＰ  ＩＰアクセス２０２により転送されてきたＡＲメッセージを受信する。
【００６５】
本発明の実施形態によれば、ＡＲメッセージを送信しているＵＥ２０１が、ＴＬＣ事業者がＬＴＥネットワークに対して可能としているまたは可能としていない装置であるか否かの事前検査のために、検査が必要に応じてステップ（判断ブロック）３０４において遂行される。本検査はＩＭＥＩ情報を含むＡＶＰを解析することにより遂行され得る。ステップ３０４において検査を遂行するために、Ｄｉａｍｅｔｅｒプロキシ２０３は、例えば、Ｄｉａｍｅｔｅｒプロキシ２０３に対して内部的にまたはビジネスロジックシステム（ＢＬＳ）２０６内に生成されるべきデータベース（図には示されない）に問い合わせるように構成されたロジックを提供されるべきである。このようなデータベースは、ＴＬＣ事業者がＬＴＥ技術の使用を阻止しようとする装置（以下では、「許可されない装置」と表示する）に関連したＩＭＥＩ値にそれぞれが対応するエントリを含むことができる。データベースは、許可されない装置に関連するＴＬＣ事業者により商用化された全てのＩＭＥＩに移植され得る。このシナリオでは、特定のＵＥに対して条件「許可されない装置」を除去するために、ＴＬＣ事業者は、データベースから関連したＩＭＥＩを削除するものとする。
【００６６】
ステップ３０４において、Ｄｉａｍｅｔｅｒプロキシ２０３が、ＵＥ２０１が「許可されない装置」であると判定した場合（判断ブロック３０４の出口分岐はい）、ステップ３０５において、Ｄｉａｍｅｔｅｒプロキシ２０３は、ＵＥ２０１に対して、認証リクエストが成功しなかったことを示す、結果コードＡＶＰ失敗付きのＡＡ（認証応答）ＫＯメッセージ（ＡＡ  ＯＫメッセージはＳ６ａインターフェイスを介した認証情報応答−ＡＩＡまたはＳｗｘインターフェイスを介したマルチメディア認証応答−ＭＡＡとして送信され得る）を送信する。従って、ＵＥ２０１はＬＴＥネットワークにより認証されず、ＵＥ２０１は、ＬＴＥネットワークとデータ接続を確立することができない。いずれにせよ、「許可されない装置」としてネットワークデータベースに登録されたＵＥ２０１は、ＬＴＥ上での認証失敗の後、ＵＥ２０１が２Ｇ／３Ｇのカバーエリア内に所在していれば、レガシィ２Ｇ／３Ｇネットワークとデータ接続を確立することができる。
【００６７】
ステップ３０４において、Ｄｉａｍｅｔｅｒプロキシ２０３が、ＵＥ２０１がＤｉａｍｅｔｅｒプロキシ２０３またはビジネスロジックシステム（ＢＬＳ）２０６内のネットワークデータベースに「許可されない装置」として登録されていない、すなわち、ＵＥ２０１が許可された装置であり、ＬＴＥ技術の使用をＴＬＣ事業者により阻止されていないと判定した場合（判断ブロック３０４の出口分岐いいえ）、ステップ３０６において、Ｄｉａｍｅｔｅｒプロキシ２０３は、ＡＲメッセージをＨＳＳ１１５に送信する。
【００６８】
ステップ３０４における任意選択の検査が遂行されない場合、ステップ３０３においてＡＲメッセージを受信すると、Ｄｉａｍｅｔｅｒプロキシ２０３は、ＡＲメッセージをＨＳＳ１１５に直接転送する。
【００６９】
ステップ（判断ブロック）３０７においてＨＳＳ１１５は、ユーザー（ＵＥ２０１）がＬＴＥネットワークへのユーザーの最初の登録の試みであるか否かを確認する。肯定（判断ブロック３０７の出口分岐はい）の場合、ＨＳＳ１１５は、前述の自動プロビジョニング機能を使用して、ＨＳＳデータベース１１５内にデフォルトＬＴＥ加入者プロファイルをユーザー識別のためのユーザー名ＡＶＰ（例えば、ＩＭＳＩ、国際移動電話加入者識別番号）等のＡＲメッセージに含まれる情報を使用して自動的に生成する（ステップ３０８）。
【００７０】
次いで、ＨＳＳ１１５は、ステップ３０９に進み、３ＧＰＰ技術仕様書ＴＳ３３．４０１およびＴＳ３．１０２内の実施例に記載された標準の機構に従ってＵＥ２０１を認証する。
【００７１】
否定の場合、すなわち、ＵＥ２０１のユーザーがユーザーの最初の試みにあるのではなく、既にＨＳＳ１１５内にプロビジョニングされている場合（判断ブロック３０７の出口分岐いいえ）、ＨＳＳ１１５は、上述の標準の機構に従ってユーザーＵＥ２０１の認証に直接進む（ステップ３０９）。
【００７２】
ステップ３１０において、ＨＳＳ１１５は、ユーザー認証が成功裏に完了した事実を表示する結果コードＡＶＰ付きの認証応答ＡＡメッセージをＵＥ２０１に送信する。３ＧＰＰアクセス１３３シナリオでは、ＡＡメッセージは、３ＧＰＰ技術仕様書ＴＳ２９．２７２に記載された認証情報応答（ＡＩＡ）に対応し、非３ＧＰＰアクセス１３５または１４０シナリオでは、ＡＡメッセージは３ＧＰＰ技術仕様書ＴＳ２９．２７３に記載されたマルチメディア認証応答（ＭＡＡ）に対応する。
【００７３】
今説明したステップ３０８を参照すると、ＬＴＥネットワーク上のユーザー装置の最初の登録の試みにおいてＨＳＳ１１５により生成されたデフォルトＬＴＥ加入者プロファイルは、特定のパラメータを含んでいて、
１）自動プロビジョニングされたユーザーを認識する、
ａ．関連付けられたＡＶＰ値「ＣＣ＊」を有する３ＧＰＰ課金特性。  このＡＶＰは、加入者課金情報を生成するために使用される。
【００７４】
ｂ．関連した値「ＡＰＮ  ＷＥＬＣＯＭ」を有するデフォルトＡＰＮ。このアクセスポイント名は、自動プロビジョニング目的のためのデータネットワークにアクセスすることをＴＬＣ事業者により選択される。
【００７５】
２）ＴＬＣ事業者が所有するユーザーに提供すべきサービスレベルを例として定義する（リストは例としてのみ提供され、網羅的であることを意図するものではない）。
ａ．優先度、パケット損失、パケット遅延等という意味合いで、サービスクラスに対して送受信されるＩＰパケットの取扱いを定義するＱｏＳクラス識別子（ＱＣＩ）。３ＧＰＰ技術仕様書ＴＳ２３．１０７は、以下のサービスクラス、（音声アプリケーションのための）会話形、（ビデオストリーミングアプリケーションのための）ストリーミング型、（Ｗｅｂブラウジングアプリケーションのための）対話型、（電子メールのための）バックグラウンド型を定義する。
【００７６】
ｂ．アップリンク／ダウンリンクＩＰフロー内でユーザーおよびＡＰＮそれぞれに対してネットワークによりサポートされる毎秒当たりのビット数での最大帯域幅を示す総合最大ビットレート（ＡＭＢＲ）および最大ビットレート（ＭＢＲ）。
【００７７】
本発明の実施形態によれば、デフォルトＬＴＥ加入者プロファイルは、３ＧＰＰ課金特性に対する特定の値「ＣＣ＊」および自動プロビジョニング目的に専用のデフォルトＡＰＮ「ＡＰＮ  ＷＥＬＣＯＭＥ」を含む。ＴＬＣ事業者は、デフォルトＡＰＮ「ＡＰＮ  ＷＥＬＣＯＭＥ」が新規のＡＰＮであるのか、またはデフォルトＡＰＮがＴＬＣ事業者のネットワーク内で既に定義されたＡＰＮの１つであるのかを選択することができる。
【００７８】
図４は、本発明の実施形態に従ってデータ接続を確立するためのメッセージの流れを示す。データ接続は、図３に示された手順に従って認証されたＵＥ２０１とＬＴＥ／ＳＡＥネットワーク間に確立される。
【００７９】
図４を参照すると、ステップ３２０において、３ＧＰＰ（ＬＴＥまたは２Ｇ−３Ｇ）または非３ＧＰＰ  ＩＰアクセスネットワーク２０２は、ＵＥ２０１から一般的なＡＰＮに対する（３ＧＰＰ技術仕様書ＴＳ２４．３０１、ＴＳ２３．４０１およびＴＳ２９．２７４の実施例に記載された）ＰＤＮ接続リクエストメッセージを受信する。
【００８０】
ステップ３２１において、３ＧＰＰ（ＬＴＥまたは２Ｇ−３Ｇ）または非３ＧＰＰ  ＩＰアクセスネットワーク２０２は、データセッションを開始するために、（３ＧＰＰ技術仕様書ＴＳ２９．２７４、ＴＳ２３．４０１の実施例に記載された）セッション生成リクエストメッセージをＳ−ＰＧＷ２０７に送信する。ＰＤＮ接続リクエストメッセージおよびセッション生成リクエストメッセージの両者は、
・図３の認証手続きの間にＵＥ２０１により受信された３ＧＰＰ課金特性、
・ユーザーにより選択された、または存在しない場合、ネットワークにより示された（すなわち、デフォルトＡＰＮ「ＡＰＮ  ＷＥＬＣＯＭＥ」）、要求されたＡＰＮ、
・ＵＥ２０１により無線アクセス上で捕捉されたＲＡＴおよびセル識別子、
・装置の種別を示す、ＵＥ２０１  ＩＭＥＩ、
等の情報を含む。
【００８１】
セッション生成リクエストメッセージを受信した後、ステップ（判断ブロック）３２１ａにおいて、Ｓ−ＰＧＷ２０７は、３ＧＰＰ課金特性、要求されたＡＰＮ、ＲＡＴ、セル識別子，ＩＭＥＩ等のセッション生成リクエストメッセージから抽出された情報を含むＡＲメッセージをＡＡＡサーバー２０４に送信する。特に、既に上記に説明したように、本発明の実施形態に従って、３ＧＰＰ課金特性の特定の値（ＣＣ＊値）が最初の登録の試みにおいてＨＳＳ１１５による自動プロビジョニングユーザーとしてＵＥ２０１を識別する。
【００８２】
次いで、ＡＡＡサーバー２０４は、以下に説明するように、受信した情報を確認する。
ＡＡＡサーバー２０４が、ＲＡＴがＬＴＥであることを確認した場合（判断ブロック３２１ａの出口分岐はい）、ステップ（判断ブロック３２２）において、ＡＡＡサーバー２０４はまた、３ＧＰＰ課金特性を解析してそれらがＣＣ＊値と等しく設定されているか否かを確認する。
【００８３】
３ＧＰＰ課金特性がＣＣ＊値に等しくない場合（判断ブロック３２２の出口分岐いいえ）、ＡＲメッセージは、ＡＡメッセージをＳ−ＰＧＷ２０７に送信することによりＡＡＡサーバー２０４により直接確認される（ステップ３２３および３２７）。
【００８４】
そうではなく、３ＧＰＰ課金特性がＣＣ＊値に等しい場合（判断ブロック３２２の出口分岐はい）、（ＵＥ２０１ユーザーが最初の登録の試みにおけるＨＳＳ１１５による自動プロビジョニングユーザーであることを意味する）、ＡＡＡサーバー２０４は、ＳＭＳおよび／またはＭＭＳ広告メッセージを始動するように、ＭＳＧサーバー２０９を介して、任意選択で警報メッセージをＢＬＳ２０６に送信して（ステップ３２４）、ＬＴＥ商用サービスへの加入についてＵＥ２０１に通知することができる。
【００８５】
ステップ（判断ブロック）３２５において、ＡＡＡサーバー２０４は、ユーザーにより要求されたＡＰＮ（以下では「要求されたＡＰＮ」と表記）を確認する。
ＡＡＡサーバー２０４が、要求されたＡＰＮが「ＡＰＮ  ＷＥＬＣＯＭＥ」に等しいことを確認した場合（判断ブロック３２５の出口分岐いいえ）、ＡＡＡサーバー２０４は、ＡＡメッセージをＳ−ＰＧＷ２０７に直接送信する（ステップ３２７）。
【００８６】
そうではなく、ＡＡＡサーバー２０４が、要求されたＡＰＮが「ＡＰＮ  ＷＥＬＣＯＭＥ」と等しくないと確認した場合（判断ブロック３２５の出口分岐はい）、本発明の実施形態に従って、ＡＡＡサーバー２０４は、ＡＰＮリダイレクト手続きを開始する（ステップ３２６）。具体的には、ＡＡＡサーバー２０４は、使用される「ＡＰＮ  ＷＥＬＣＯＭＥ」に関する情報を含むＡＡメッセージをＳ−ＰＧＷ２０７に送信する（ステップ３２７）。この情報は、ＵＥ２０１を「ＡＰＮ  ＷＥＬＣＯＭＥ」に強制するためにＳ−ＰＧＷ２０７により使用される。
【００８７】
Ｓ−ＰＧＷ２０７が（ステップ３２７において）ＡＡメッセージを受信すると、Ｓ−ＰＧＷ２０７は、ステップ３２８において、データセッションの開始を通知するために会計リクエスト（開始）メッセージをＡＡＡサーバー２０４に送信する。
【００８８】
次いで、ステップ３２９において、ＵＥ２０１とＬＴＥ／ＳＡＥネットワーク間のデータセッションの確立を完了するように、Ｓ−ＰＧＷ２０７は、３ＧＰＰ技術仕様書ＴＳ２９．２７４、ＴＳ２３．４０１およびＴＳ２４．３０１に記載されたセッション生成応答メッセージを３ＧＰＰ（ＬＴＥまたは２Ｇ−３Ｇ）または非３ＧＰＰ  ＩＰアクセスネットワーク２０２に送信する。具体的には、データ接続の確立を完了するために、ＩＰアドレスが、ステップ３２９ａにおいて、ユーザーが自動プロビジョニングユーザーである場合にはＡＰＮ  ＷＥＬＣＯＭＥを介して、またはユーザーが既にプロビジョニングされたユーザーである場合には要求されたＡＰＮを介して、ＬＴＥネットワークにアクセスするためにＵＥ２０１に割り当てられる。
【００８９】
ここで、ＵＥ２０１は、一般的なユニフォームリソースロケータ（ＵＲＬ）に向けて、あるいはＬＴＥネットワーク上のＳＭＳまたはＭＭＳを介してステップ３２４において受信したＵＲＬを使用してＷｅｂブラウジングセッションを開始することができる。
【００９０】
３２１ａに戻って、ＡＡＡサーバー２０４が、ＲＡＴがＬＴＥではなく、２Ｇ−３Ｇ  ＲＡＴであると識別した場合（判断ブロック３２１ａの出口分岐いいえ）、ＡＡＡサーバー２０４は、ＵＥ２０１により要求されたＡＰＮに関する情報を含むＡＡメッセージを直接Ｓ−ＰＧＷ２０７に送信する（ステップ３２７）。
【００９１】
さらに、ステップ（判断ブロック）３２１ｂにおいて、ＡＡＡサーバー２０４はまた、ＩＭＥＩおよびセルＩＤ等のＡＲメッセージに含まれるその他の情報を、このサーバー自身の中にまたはその他のＴＬＣ事業者のデータベース内に格納されている情報と比較するために解析する。ＴＬＣ事業者は、ＵＥ２０１がＬＴＥ対応可能な装置である場合、および任意選択で、ＵＥ２０１がＬＴＥのカバーエリアに隣接した／近傍にある２Ｇ／３Ｇセルによりカバーされている場合、ＬＴＥ加入者プロファイル生成することを決定できる。
【００９２】
ＡＡＡサーバー２０４が、ＡＲメッセージ内で受信したＩＭＥＩおよびセルＩＤがデータベース内にないことを確認した場合（判断ブロック３２１ｂの出口分岐いいえ）、ＡＡＡサーバー２０４は、手続きを終了し（ステップ３２１ｃ）、そうでない場合（判断ブロック３２１ｂの出口分岐はい）、ＡＡＡサーバー２０４は、ＵＥ２０１に関連した情報（例えば、ＭＳＩＳＤＮ、ＩＭＳＩ）を含むＨＴＴＰ／ＷＳ／ＳＯＡＰプロビジョニングリクエストメッセージをＢＬＳ２０６に送信することによりこの事象をＢＬＳ２０６に通知する（ステップ３２１ｄ）。
【００９３】
この段階において、ＢＬＳ２０６は、
・可能な限り早く（リソースを節約のために）ＡＡＡサーバー２０４リソースを開放するために、直ちに（ステップ３２１ｅにおいて）、
・任意選択で（ステップ３２１ｉ）、ＨＳＳ１１５内に加入エントリを生成するための手続きの終了時点で、
応答メッセージをＡＡＡサーバー２０４に送信することができる。この第２の場合には、ＡＡＡサーバー２０４リソースは、その前の場合におけるより、長い時間係合されたままになるがＨＳＳ１１５への加入が完了していることが確実であるという長所がある。
【００９４】
ステップ３２１ｆにおいて、ＢＬＳ２０６は、それ自身のデータベース内で、加入が要求されているＭＳＩＳＤＮが、ＴＬＣ事業者のポリシー（例えば、最初の登録の試み、プロファイルの種類）に従ってＬＴＥ加入を可能とされているか否かを確認する。肯定される場合には、ＢＬＳ２０６は、ＬＤＡＰ（ライトウェイト・ディレクトリ・アクセス・プロトコル）を介してＨＳＳ１１５に加入エントリを要求し、応答を待つ（ステップ３２１ｇおよびステップ３２１ｈ）。
【００９５】
任意選択で、ＢＬＳ２０６は、ユーザーに、ユーザーのＵＥ２０１が現在ＬＴＥ商用サービスを使用するように構成されていることを通知するように、ショートメッセージシステム（ＳＭＳ）および／またはマルチメディアメッセージシステム（ＭＭＳ）を介してＵＥ２０１に通知を送信することができる。
【００９６】
図５は、デフォルトＡＰＮ「ＡＰＮ  ＷＥＬＣＯＭＥ」上の自動プロビジョニングＵＥ２０１のＷｅｂブラウジングセッションリクエストを管理するためのメッセージの流れを示す。
【００９７】
具体的には、ステップ３３０において、ＵＥ２０１は、Ｗｅｂブラウジングセッションの確立を開始するためにＨＴＴＰリクエストメッセージをＳ−ＰＧＷ２０７に送信する。
ステップ３３１において、Ｓ−ＰＧＷ２０７は、デフォルトＡＰＮ「ＡＰＮ  ＷＥＬＣＯＭＥ」上でディープパケットインスペクション（ＤＰＩ）機能を使用して、事業者Ｗｅｂポータル２０８に向けてこれらのデータパケットの経路付を強制するように、ＨＴＴＰリクエストメッセージのデータパケットを解析する。ＵＥ２０１が一般的なＵＲＬに向けてＷｅｂブラウジングセッションを開始する場合でも、事業者Ｗｅｂポータル２０８のＵＲＬにリダイレクトされることになる。Ｓ−ＰＧＷ２０７上のディープパケットインスペクション（ＤＰＩ）機能の有用性が想定される。この機能が利用可能ではない場合には、外部ＤＰＩ機器により提供される機能が使用され得る。
【００９８】
事業者Ｗｅｂポータル２０８は、ステップ３３２において、ＬＴＥ商用サービスの可用性をユーザーに通知し、ユーザーにこれらのサービスへの加入を招待するために、Ｗｅｂページ広告（ＬＴＥ  ＡＤＶ）を示すＵＥ２０１へのＨＴＴＰリダイレクト応答メッセージを送信する。
【００９９】
事業者Ｗｅｂポータルは、ステップ（判断ブロック）３３３においてユーザーの応答を解析する。ユーザーがＬＴＥ商用サービスを受け入れない場合（判断ブロック３３３の出口分岐いいえ）、例えば、Ｗｅｂページを中止することにより、または明示的な拒否を行うことにより、あるいはＷｅｂページタイマーが満了することから、事業者Ｗｅｂポータル２０８は、この事象をＢＬＳ２０６に、Ｓ−ＰＧＷ２０７によりＨＴＴＰリダイレクトリクエストメッセージ内に挿入された（例えば、ＨＴＴＰヘッダー・エンリッチメント・ソリューションを使用することにより）ＵＥ２０１識別子（例えば、ＩＰ、ＭＳＩＳＤＮ、ＩＭＳＩ）を含む、ＨＴＴＰ／ＷＳ／ＳＯＡＰプロビジョニングリクエストメッセージを介して通知する（ステップ３３４）。ステップ３３４内で使用され得るプロトコルの例は、ハイパーテキスト転送プロトコル−ＨＴＴＰ、シンプルオブジェクトアクセスプロトコル−ＳＯＡＰ、Ｗｅｂサービス−ＷＳプロトコルである。
【０１００】
次いで、ステップ３３４ａにおいて、ＬＤＡＰを介したＢＬＳ２０６は、（図３の手続きに従って）ＨＳＳ１１５内で以前に自動プロビジョニングされたデフォルトユーザーＬＴＥ加入者プロファイルを修正する。
【０１０１】
具体的には、ステップ３３５において、デフォルトＬＴＥ加入者プロファイルのＣＣ＊値が２Ｇ／３Ｇネットワーク内でユーザーに割り当てられた３ＧＰＰ課金特性により置き換えられる。ＡＭＢＲ／ＭＢＲおよびＱＣＩ等のその他のパラメータは、ＴＬＣ事業者のポリシーに従って（例えば、ＬＴＥネットワークへのＵＥ２０１の今後のアクセスを阻止するために）修正され得る。
【０１０２】
ＴＬＣ事業者は、このようなユーザーが企業に所属している場合（すなわち、ユーザーが支払い当事者に該当しない場合）ＬＴＥサービスに加入するためのユーザーリクエストを拒否することができる。この場合、ステップ３３４ａおよび３３５は遂行されない。
【０１０３】
そうではなく、ユーザーがＬＴＥサービスを受け入れる場合（判断ブロック３３３の出口分岐はい）、事業者Ｗｅｂポータル２０８は、この事象をＢＬＳ２０６に上述と同一の態様でＵＥ２０１識別子を含むＨＴＴＰ／ＷＳ／ＳＯＡＰプロビジョニングリクエストメッセージを介して通知する（ステップ３３６）。
【０１０４】
ステップ３３７において、ＢＬＳ２０６は、ユーザープロファイルの種別（例えば、消費者、ビジネス、前払いまたは後払い）がＬＴＥサービスをサポートするために可能であるか否かを検査し、肯定される場合、ＬＤＡＰを介して（ステップ３３８）、ＢＬＳ２０６は、以前にＨＳＳ１１５内に（図３の手続きに従って）自動プロビジョニングされたデフォルトユーザーＬＴＥ加入者プロファイルを更新する（ステップ３３９）。デフォルトＬＴＥ加入者プロファイルのＣＣ＊値は、２Ｇ／３Ｇネットワーク内でユーザーに割り当てられた３ＧＰＰ課金特性により置換される。ＡＰＮ、ＡＭＢＲ／ＭＢＲおよびＱＣＩ等のその他のパラメータは、以前にユーザーにより選択されたＬＴＥサービスに従って修正され得る（ステップ３３２および３３３）。
【０１０５】
ＬＴＥユーザープロファイルの更新の最後（ステップ３３５またはステップ３３９）において、ＨＳＳ１１５はＬＤＡＰ結果応答をＢＬＳ２０６に送信する（ステップ３４０）。
【０１０６】
ステップ３３３において、ユーザーが、要求された／受け入れられたＩＭＳサービス（例えば、ＶｏＬＴＥ）も有する場合、ＢＬＳ２０６は、事業者Ｗｅｂポータル２０８からＨＴＴＰ／ＷＳ／ＳＯＡＰプロビジョニングリクエストメッセージを介してこの付加的な情報もまた受信する（ステップ３３６）。この場合、ＢＬＳ２０６は、ＩＭＳシステム２１０にＬＤＡＰ／ＨＴＴＰ／ＷＳ／ＳＯＡＰプロビジョニングリクエストを介して
１．ＩＭＳシステム２１０の全てのデータベース（例えば、ＨＳＳ、ＳＬＦ、ＤＮＳ／ＥＮＵＭ、ＭＭＴＥＬ  ＡＳ、ＢＧＣＦ、・・・）内のユーザーＩＭＳプロファイルの加入および／または更新、
２．回線交換ネットワーク内のユーザーにより加入したばかりのユーザー補助サービス（例えば、自動転送、通話保留、・・・）のＩＭＳシステム２１０の全てのデータベース（例えば、ＭＭＴｅＬ  ＡＳおよびＨＳＳ）内での調整、
を要求する（ステップ３３８ａ）。
【０１０７】
図５に示すメッセージの流れによれば、このプロビジョニング活動は、ＩＭＳシステム２１０内に含まれる仲介プラットホームを通じて実行される（ステップ３３９ａ）。任意選択で、このプロビジョニング活動は、ＢＬＳ２０６によりＩＭＳシステムの各データベース上で直接実行され得る。
【０１０８】
ステップ３３９ａの終了時点で、ＩＭＳシステム２１０は、ＬＤＡＰ／ＨＴＴＰ／ＷＳ／ＳＯＡＰプロビジョニング応答メッセージをＢＬＳ２０６に送信する（ステップ３４０ａ）。
【０１０９】
ステップ３４１において、ＢＬＳ２０６は、ＨＳＳ１１５から受信したＬＤＡＰ／ＨＴＴＰ／ＷＳ／ＳＯＡＰプロビジョニング応答メッセージ、また、任意選択で、ＩＭＳシステム２１０から受信したＬＤＡＰ／ＨＴＴＰ／ＷＳ／ＳＯＡＰプロビジョニング応答メッセージを解析する。次いで、ＢＬＳ２０６は、Ｗｅｂページを介してＨＴＴＰ最終応答を生成して、ＵＥ２０１に事業者Ｗｅｂポータル２０８を介して送信する（ステップ３４２およびステップ３４３）。前記ＨＴＴＰ最終応答は、加入要求の結果を含む。
【０１１０】
結果が肯定的である場合、ＵＥ２０１がＬＴＥサービスにアクセスすることを可能とするために、デフォルトＡＰＮ「ＡＰＮ  ＷＥＬＣＯＭＥ」とのＰＤＮ接続性が、停止されるべきである。この目的のために、Ｓ−ＰＧＷ２０７は、ＤＰＩ機能という意味で、ＨＴＴＰ最終応答を肯定応答として認識し、ステップ３４４において、会計リクエスト（停止）メッセージをＡＡＡサーバー２０４に送信してＡＰＮ「ＡＰＮ  ＷＥＬＣＯＭＥ」に割り当てられたリソース（例えば、ＩＰアドレス）を解放し、次いで、ＡＰＮ  ＷＥＬＣＯＭＥとのＷｅｂブラウジングセッションを終結するようにＰＤＮ切断をＵＥ２０１に強制する（ステップ３４５）。以降、ＵＥ２０１は、商用ＡＰＮによりＬＴＥサービスへ自由にアクセスすることができる（すなわち、ＵＥ２０１のユーザーはもはやＡＰＮ  ＡＰＮ  ＷＥＬＣＯＭＥへリダイレクトされない）。
【０１１１】
これまでになされた説明は、単に本発明の実施形態の例を提供することを意図したものである。その他の実施形態が可能であり、ここで提供された教示に基づいて当業者により容易に工夫可能である。
【図１】
0006385558.tif 000002
【図２】
0006385558.tif 000003
【図３】
0006385558.tif 000004
【図４】
0006385558.tif 000005
【図５】
0006385558.tif 000006